(57)【特許請求の範囲】
【請求項１】
便器本体に取り付けられた支持部材に回動自在に軸支され、前記便器本体上で倒伏状態と起立状態との間を回動する便座であって、
倒伏状態において、後端部に設けられており、上端縁が略水平であり前記支持部材の連結部の左右端よりも左右外側に伸びるように立ち上がった立上がり部を備えており、
前記立上がり部は、前面が左右中央部を後方に凹ませた湾曲面であるとともに、側面視において下方に向かうに連れて前方に弧状に湾曲し且つ前面側の曲率半径よりも後面側の曲率半径の方が大きくされた形態の湾曲部分を有していることを特徴とする便座。
【請求項２】
前記立上がり部は、倒伏状態と起立状態との間を回動する際の回動中心である回動軸よりも上方で、上端縁が左右方向に伸びていることを特徴とする請求項１記載の便座。
【請求項３】
前記立上がり部の前面の裏側に接合された面状ヒーターを備えていることを特徴とする請求項１又は２記載の便座。
【請求項４】
倒伏状態において、前記立上がり部の上端縁の左右中央と便器本体の便鉢部の上方に開口する開口部の中央後端縁との水平距離よりも、前記立上がり部の上端縁の左右中央と前記開口部の中央後端縁との垂直距離の方が大きく形成されていることを特徴とする請求項１から請求項３までのいずれか１項記載の便座。
【発明の詳細な説明】
【技術分野】
【０００１】
本発明は便座に関するものである。
【背景技術】
【０００２】
特許文献１は従来の便座を開示している。この便座は便器本体の後部上面に取り付けられた便座装置の支持部に回動自在に軸支されている。便座は便器本体上で倒伏状態と起立状態との間を回動する。この便座は、倒伏状態において、左右後端が後部上方へ斜めに立ち上がった左右立上がり部を備えている。この便座は、左右立上がり部の間に便座装置の支持部を挟持しており、支持部の左右両端から突出した回動軸部に回動支持されている。支持部は前面が鉛直方向に立ち上がっている。この支持部は前面が左右中央部を後方に凹ませた湾曲面に形成されている。便座は、回動中に支持部に干渉しないように、倒伏状態において、左右立上がり部の上端縁よりその間の上端縁が低く形成されている。つまり、この便座は、後端部の上端縁が上下方向に屈曲し、左右中央部が支持部の外形に合わせて下方に凹んでいる。この便座を備えた便座装置は、支持部の前面が湾曲面で形成れているため、着座者の臀部に後方から支持部が当接し、リラックスして着座することができる。
【先行技術文献】
【特許文献】
【０００３】
【特許文献１】特開２００４−６５５４４号公報
【発明の概要】
【発明が解決しようとする課題】
【０００４】
しかし、特許文献１の便座は、左右立上がり部の間に便座装置の支持部を挟持し、後端部の中央に支持部が突出している。また、この便座は、後端部の上端縁が上下方向に屈曲し、中央部が支持部の外形に合わせて下方に凹んでいる。このため、この便座は、便座装置の支持部との間に隙間が形成され、その隙間が屈曲し、隙間にたまった汚れを拭き掃除によって除去しにくく、掃除に手間を要する。
【０００５】
本発明は、上記従来の実情に鑑みてなされたものであって、すっきりとした形態であって、掃除を容易にすることができる便座を提供することを解決すべき課題としている。
【課題を解決するための手段】
【０００６】
本発明の便座は、便器本体に取り付けられた支持部材に回動自在に軸支され、前記便器本体上で倒伏状態と起立状態との間を回動する便座であって、
倒伏状態において、後端部に設けられており、上端縁が略水平であり前記支持部材の連結部の左右端よりも左右外側に伸びるように立ち上がった立上がり部を備えていることを特徴とする。
【０００７】
この便座は、倒伏状態において、後端部に立上がり部が設けられている。この立上がり部は上端縁が略水平であり支持部材の連結部の左右端よりも左右外側に伸びるように立ち上がっている。このため、この便座は、立上がり部の上端縁に汚れがたまっても、上端縁が略水平に左右方向に伸びているため、拭き掃除によって容易に汚れを除去することができる。ここで、上端縁が略水平とは上端縁が一直線上に水平に伸びている場合に限らず、上端縁の全体又は一部が上下方向にわずかに湾曲して伸びている場合も含む（以下同じ）。
【０００８】
したがって、本発明の便座は、すっきりとした形態であって、掃除を容易にすることができる。
【図面の簡単な説明】
【０００９】
【図１】実施例１の便座が取り付けられた水洗式便器を示す斜視図である。
【図２】実施例１の便座が取り付けられた水洗式便器を示す側面図である。
【図３】実施例１の便座が取り付けられた水洗式便器を示す平面図である。
【図４】実施例１の便座を示す正面図である。
【図５】実施例１の便座が取り付けられた水洗式便器の要部拡大図である。
【図６】図３の矢視X−Ｘ断面図である。
【発明を実施するための形態】
【００１０】
本発明における好ましい実施の形態を説明する。
【００１１】
本発明の便座において、前記立上がり部は、倒伏状態と起立状態との間を回動する際の回動中心である回動軸よりも上方で、上端縁が左右方向に伸び得る。この場合、この便座は立上がり部の上端縁を高い位置にすることができる。このため、この便座は、立上がり部が着座者の臀部を後方から支えることができ、着座者はリラックスして着座することができる。
【００１２】
本発明の便座は、前記立上がり部の前面の裏側に接合された面状ヒーターを備え得る。この場合、この便座は、広い範囲で着座者の臀部等を暖めることができ、着座者はリラックして着座することができる。
【００１３】
本発明の便座において、前記立上がり部は前面が左右中央部を後方に凹ませた湾曲面であり得る。この場合、この便座は、立上がり部の前面が着座者の臀部にフィットする形状であるため、着座者はリラックして着座することができる。
【００１４】
本発明の便座は、倒伏状態において、前記立上がり部の上端縁の左右中央と、便器本体の便鉢の上方に開口する開口部の中央後端縁との水平距離よりも、前記立上がり部の上端縁の左右中央と、前記開口部の中央後端縁との垂直距離の方が大きく形成され得る。この場合、この便座は、立上がり部の前面が急角度で傾斜し、着座者の臀部を立上がり部が後方からしっかりと支持することができ、着座者はリラックスして着座することができる。
【００１５】
次に、本発明の便座を具体化した実施例１について、図面を参照しつつ説明する。
【００１６】
＜実施例１＞
実施例１の便座２０は、図１及び図２に示すように、水洗式便器に取り付けられている。この水洗式便器は、便器本体１及び便座２０を有した便器装置１０を具備している。便器本体１は、便鉢部３、便鉢部３の下流側に連通する便器排水路（図示せず）、及び便鉢部３と便器排水路の前後左右を覆う側壁部５を有している。
【００１７】
便器装置１０は、便座２０の他に、洗浄タンク（図示せず）、カバー４０、及び一対の肘掛部材５０Ｌ,５０Ｒを有している。洗浄タンクは、便器本体１の後部上面に載置され固定され、便鉢部３へ吐出する洗浄水を貯留している。カバー４０は、洗浄タンクの前方側を覆う背もたれ部材４１、洗浄タンクの左右及び後方を覆う側面部材４３、及び洗浄タンクの上方側を覆う蓋部材４５を有している。
【００１８】
背もたれ部材４１は、樹脂製であり、前面部がクッション性を有している。背もたれ部材４１は、洗浄タンクの前方に取り付けられた状態で、前方からの正面視の外形状が略四角形状である（前後は、図２において、左右である。以下同じ。）。背もたれ部材４１は左右端部が後述する側面部材４３の左右側面部４３Ｌ，４３Ｒよりも左右方向に突出している（左右は、図３において、左右である。以下同じ。）。また、背もたれ部材４１は上端部が蓋部材４５よりも上方向に突出している（上下は、図２において、上下である。）以下同じまた、背もたれ部材４１は下端部が便座２０の後端上面に沿って配置されている。
【００１９】
側面部材４３は、樹脂製であり、左右側面部４３Ｌ，４３Ｒ、及び左右側面部４３Ｌ，４３Ｒの後端部から湾曲しながら連続する後側面部４３Ｂを有している。側面部材４３の左右側面部４３Ｌ，４３Ｒから肘掛部材５０Ｌ,５０Ｒが前方に向けて伸びている。また、側面部材４３の右側面部４３Ｒは操作ハンドル６０が設けられている。操作ハンドル６０を回動操作すると、洗浄タンクに貯留された洗浄水が便鉢部３へ吐出し、便器洗浄が実行される。蓋部材４５は、樹脂製であり、側面部材４３の上端面に載置され、背もたれ部材４１と側面部材４３との間に形成された上部開口を塞いでいる。
【００２０】
肘掛部材５０Ｌ,５０Ｒは、表面が樹脂製であり、クッション性を有しており、内部に強度を有する芯材（図示せず）が挿入されている。肘掛部材５０Ｌ,５０Ｒは、カバー４０の側面部材４３の左右側面部４３Ｌ，４３Ｒに当接する基端部の端面から先端部にかけて、外側に広がりながら内方向に湾曲している。
【００２１】
便座２０は、図３及び図５に示すように、便器本体１に取り付けられた支持部材７０に回動自在に軸支されている。支持部材７０は支持部本体７１とヒンジ部７３とを有している。支持部本体７１は一対の縦枠材７１Ａ，７１Ａと横枠材７１Ｂとを有している。一対の縦枠材７１Ａ，７１Ａは便器本体１の後部上面に左右方向に離れて鉛直方向に立設している。横枠材７１Ｂは一対の縦枠材７１Ａ，７１Ａの上端部を連結している。支持部本体７１はカバー４０内に収納されている。
【００２２】
ヒンジ部７３は水平部７３Ａと左右連結部７３Ｌ，７３Ｒとを有している。水平部７３Ａは、水平方向に伸びて、一対の縦枠材７１Ａ，７１Ａの中間部を連結している。左右連結部７３Ｌ，７３Ｒの夫々は左右方向に離れた位置で水平部７３Ａの左右端部に連結している。左右連結部７３Ｌ，７３Ｒは下端部が前方に伸びている。左連結部７３Ｌ（図３において左側に位置する連結部）は、図３及び図６に示すように、後述する便座２０の立上がり部２３に設けられた左切欠き部２５Ｌに下端部の先端部を挿入し、便座２０の回動軸Ｒ上に伸びたダンパー８０の軸部８１に連結している（図６参照）。右連結部７３Ｒ（図３において右側に位置する連結部）は、後述する便座２０の立上がり部２３に設けられた右切欠き部２５Ｒに下端部の先端部を挿入し、便座２０の回転軸Ｒと同心上に形成された挿入孔Ｈに左方向に開口する筒部７５を挿入している（図６参照）。筒部７５は面状ヒーター９０に電気を供給する電線９１が挿通されている。
【００２３】
このように、背もたれ部材４１の下端で便座２０の立上がり部２３内に挿入された左右連結部７３Ｌ，７３Ｒの先端部（支持部材７０）に便座２０が回動自在に軸支され、便器本体１上で倒伏状態と起立状態との間を回動する。ダンパー８０は、便座２０が起立状態から倒伏状態に回動する際、便座２０の降下速度を抑える抵抗力を発生させる。
【００２４】
便座２０は、図１〜図４に示すように、倒伏状態における上方から見た平面視の外形状が前後方向に長い略四角形状である。この便座２０は、上方から見た平面視において、前側の角部が丸まっている。また、便器本体１の便鉢部３の上方に開口部２１が開口している。この開口部２１は前後方向に長い略楕円形状である。この開口部２１は前側の曲率が後側の曲率よりも大きい（前側は図３において下側であり、後側は図３において上側である。）。
【００２５】
この便座２０は、倒伏状態において、後端部に斜め後方に立ち上がった立上がり部２３を備えている。この立上がり部２３の前面２３Ｆは、図５に示すように、上下方向で後方にわずかに凹むように湾曲し、後方に向けて斜め上方に傾斜した傾斜面で形成されている。また、この立上がり部２３の前面２３Ｆは、図３に示すように、左右中央部を後方に凹ませた湾曲面で形成されている。
【００２６】
立上がり部２３は、図２及び図５に示すように、上方に膨らみ前後方向に湾曲した上面を有している。立上がり部２３は、図５に示すように、便座２０の回動中心である回動軸Ｒよりも上方で、上端縁２３Ｕが上下方向に屈曲せずに左右水平方向に略一直線状に伸びている。つまり、立上がり部２３は上端縁２３Ｕが略水平である。立上がり部２３は、倒伏状態において、立上がり部２３の上端縁２３Ｕの左右中央２３Ｘと便座２０の開口部２１の中央後端縁２１Ｘとの水平距離Ｌ１よりも、立上がり部２３の上端縁２３Ｕの左右中央２３Ｘと便座２０の開口部２１の中央後端縁２１Ｘとの垂直距離Ｌ２の方が大きく形成されている。この立上がり部２３は、図４に示すように、前方から見た正面視において、外形状が略横長四角形状である。また、立上がり部２３は、図１及び図２に示すように、上端縁２３Ｕが背もたれ部材４１の左右水平方向に略一直線上に伸びている下端縁に沿っている。また、立上がり部２３は左右幅が背もたれ部材４１の左右幅は略等しい。
【００２７】
立上がり部２３は、図３に示すように、左右両端部の後部に上下方向に伸びた四角形状の左右切欠き部２５Ｌ，２５Ｒが設けられている。左切欠き部２５Ｌは支持部材７０のヒンジ部７３の左連結部７３Ｌの下端部の先端部を挿入している。また、右切欠き部２５Ｒは支持部材７０のヒンジ部７３の右連結部７３Ｒの下端部の先端部を挿入している。このように、立上がり部２３は、左端面が支持部材７０のヒンジ部７３の左連結部７３Ｌよりも左側に位置し、右端面が支持部材７０のヒンジ部７３の右連結部７３Ｒよりも右側に位置している。つまり、この便座２０は、倒伏状態において、立上がり部２３の上端縁２３Ｕが支持部材７０のヒンジ部７３の左連結部７３Ｌ（の左端）よりも左外側に伸び、支持部材７０のヒンジ部７３の右連結部７３Ｒ（の右端）よりも右外側に伸びている。左右切欠き部２５Ｌ，２５Ｒは、立上がり部２３の上端縁２３Ｕよりも後方に開口しているため、前方から視認することができない。また、左右切欠き部２５Ｌ，２５Ｒは、立上がり部２３の上端部に背もたれ部材４１が隙間なく当接しているため、上方から視認することができない。
【００２８】
便座２０は、図３及び図４に示すように、開口部２１の周囲であって、表面の裏側（立上がり部２３の前面２３Ｆの裏側も含む）に面状ヒーター９０が接合されている。面状ヒーター９０は絶縁された金属箔に電熱線が貼り付けられている。電熱線は便座２０の右連結部７３Ｒの筒部７５を挿通した電線９１が連結されている。
【００２９】
このような構成を有する実施例１の便座２０は、便器本体１に取り付けられた支持部材７０に回動自在に軸支され、便器本体１上で倒伏状態と起立状態との間を回動する。この便座２０は、倒伏状態において、後端部に設けられた立上がり部２３を備えている。この立上がり部２３は上端縁２３Ｕが上下方向に屈曲せずに略一直線上に支持部材７０の連結部の左右端よりも左右外側に伸びるよう立ち上がっている。このため、この便座２０は、立上がり部２３の上端縁２３Ｕに汚れがたまっても、上端縁２３Ｕが上下方向に屈曲せずに略一直線上に左右方向に伸びているため、拭き掃除によって容易に汚れを除去することができる。
【００３０】
したがって、実施例１の便座２０は、すっきりとして形態であって、掃除を容易にすることができる。
【００３１】
また、実施例１の便座２０において、立上がり部２３は、倒伏状態と起立状態との間を回動する際の回動中心である回動軸Ｒよりも上方で、上端縁２３Ｕが左右方向に伸びている。このため、この便座２０は、立上がり部２３の上端縁２３Ｕが高い位置に形成されており、立上がり部２３が着座者の臀部を後方から支えることができ、着座者はリラックスして着座することができる。
【００３２】
実施例１の便座２０は、立上がり部２３の前面２３Ｆの裏側にも面状ヒーター９０が接合されているため、広い範囲で着座者の臀部等を暖めることができ、着座者はリラックして着座することができる。
【００３３】
また、実施例１の便座２０において、立上がり部２３は前面２３Ｆが左右中央部を後方に凹ませた湾曲面であり、着座者の臀部にフィットする形状であるため、着座者はリラックして着座することができる。
【００３４】
実施例１の便座２０は、倒伏状態において、立上がり部２３の上端縁２３Ｕの左右中央２３Ｘと便座２０の開口部２１の中央後端縁２１Ｘとの水平距離Ｌ１よりも、立上がり部２３の上端縁２３Ｕの左右中央２３Ｘと便座２０の開口部２１の中央後端縁２１Ｘとの垂直距離Ｌ２の方が大きく形成されている。このため、この便座２０は、立上がり部２３の前面２３Ｆが急角度で傾斜し、着座者の臀部を立上がり部２３が後方からしっかりと支持することができ、着座者はリラックスして着座することができる。
【００３５】
本発明は上記記述及び図面によって説明した実施例１に限定されるものではなく、例えば次のような実施例も本発明の技術的範囲に含まれる。
（１）実施例１では、立上がり部の上端縁が便座の回動中心である回動軸よりも上方で左右方向に伸びていたが、上端縁は回動軸以下の高さで左右方向に伸びていてもよい。
（２）実施例１では、面状ヒーターが立上がり部の前面の裏側にも接合されていたが、面状ヒーターが立上がり部の前面の裏側に接合されていなくてもよい。また、面状ヒーターが便座の表面の裏側に接合されていなくてもよい。
（３）実施例１では、立上がり部の前面が左右中央部を後方に凹ませた湾曲面であったが、湾曲面でなく平面であってもよい。
（４）実施例１では、倒伏状態において、立上がり部の上端縁の左右中央と便座の開口部の中央後端縁との水平距離よりも、立上がり部の上端縁の左右中央と便座の開口部の中央後端縁との垂直距離の方が大きく形成されていたが、立上がり部の上端縁の左右中央と便座の開口部の中央後端縁との水平距離よりも、立上がり部の上端縁の左右中央と便座の開口部の中央後端縁との垂直距離の方が小さく形成されてもよい。
（５）実施例１では、立上がり部の上端縁が略一直線状に伸びていたが、上端縁の全体又は一部が上下方向にわずかに湾曲していてもよい。
（６）実施例１では、便座の平面視の外形状が略四角形状であったが、前側が全体的に丸まっていてもよい。
【符号の説明】
【００３６】
１…便器本体
２０…便座
２１…（便座２０の）開口部
２１Ｘ…（便座２０の開口部２１の）中央後端縁
２３…立上がり部
２３Ｕ…（立上がり部２３の）上端縁
２３Ｘ…（立上がり部２３の上端縁２３Ｕの）左右中央
２３Ｆ…（立上がり部２３の）前面
７０…支持部材
７３Ｌ，７３Ｒ…連結部（７３Ｌ…左連結部、７３Ｒ…右連結部）
９０…面状ヒーター
Ｒ…回動軸
Ｌ１…水平距離
Ｌ２…垂直距離
【図１】
0006562757.tif 000002
【図２】
0006562757.tif 000003
【図３】
0006562757.tif 000004
【図４】
0006562757.tif 000005
【図５】
0006562757.tif 000006
【図６】
0006562757.tif 000007